(57)【要約】【課題】  機能を増設して電子機器を覆って保護しても、開いて使用できるようにする。【解決手段】  第１ケース１を保護する第１保護部材１１と第２ケース２を保護する第２保護部材１２とを保護ヒンジ部１３によって開閉可能に連結して保護ケース１０を構成した。従って、第１、第２ケース１、２が開閉可能な電子辞書Ｇを保護ケース１０で覆って保護することができ、この状態で電子辞書Ｇを開くと、第１、第２保護部材１１、１２が保護ヒンジ部１３を中心に回動して開くので、第１、第２ケース１、２を第１、第２保護部材１１、１２で保護した状態でも、電子辞書Ｇを使用できる。また、この保護ケース１０に、付加機能部材として表示照明部材２２とキー照明部材２３とを電子辞書Ｇと電気的に接続して設けた。従って、電子辞書Ｇが照明機能を備えていなくても、表示照明部材２２とキー照明部材２３とで液晶表示部４およびキーボード５を照明することができる。【選択図】        図１
2006106874.tif 000002
【特許請求の範囲】
【請求項１】
表示部を有する第１ケースとキーボードを有する第２ケースとをヒンジ部によって回動可能に連結した電子機器を保護する保護ケースにおいて、
前記第１ケースを保護する第１保護部材と前記第２ケースを保護する第２保護部材とを保護ヒンジ部によって開閉可能に連結し、
前記第１、第２保護部材の少なくとも一方に、機能を付加する付加機能部材を設けると共に、この付加機能部材と前記第１、第２ケースの一方とを電気的に接続する接続部を設けたことを特徴とする保護ケース。
【請求項２】
前記第１保護部材は、第１ハードケースと、この第１ハードケース内に着脱可能に装着された第１ソフトケースとを有し、前記第２保護部材は、第２ハードケースと、この第２ハードケース内に着脱可能に装着された第２ソフトケースとを有することを特徴とする請求項１に記載の保護ケース。
【請求項３】
前記第２保護部材には、前記第１保護部材と前記第２保護部材とを閉じたときに、前記第１保護部材に係脱可能に係合するフック部が回動可能に設けられていることを特徴する請求項１または２に記載の保護ケース。
【請求項４】
前記付加機能部材は、前記第１保護部材に設けられて前記第１ケースの前記表示部を照明する表示照明部材であることを特徴する請求項１〜３のいずれかに記載の保護ケース。
【請求項５】
前記付加機能部材は、前記第２保護部材に回動可能に設けられた前記フック部に設けられて前記第２ケースの前記キーボードを照明するキー照明部材であることを特徴する請求項１〜４のいずれかに記載の保護ケース。
【請求項６】
前記付加機能部材は、スピーカ、イヤホーン、電池などの電子部品であることを特徴する請求項１〜５のいずれかに記載の保護ケース。
【発明の詳細な説明】
【技術分野】
【０００１】
この発明は、電子辞書、携帯電話機、ＰＤＡ（パーソナル・デジタル・アシスタント）などの電子機器を保護する保護ケースに関する。
【背景技術】
【０００２】
従来、表示部や各種の操作スイッチを搭載した電子機器を保護する保護ケースにおいては、特許文献１に記載されているように、電子機器自体が有する機能のほかに、別の機能を付加するために、保護ケースにスピーカやアンプ、電池などの付加部品を設けた構成のものがある。
【特許文献１】特開平０７−３１９５００号公報
【０００３】
このような保護ケースでは、電子機器に装着した状態で使用できるように、電子機器に設けられた表示部や各種の操作スイッチが保護ケースによって隠れないように、表示部や各種の操作スイッチに対応する保護ケースの所定個所に開口部を設け、電子機器に装着した状態のときに、電子機器の表示部や各種の操作スイッチを開口部から露出させることにより、電子機器に装着しても、電子機器が使用できるように構成されている。
【発明の開示】
【発明が解決しようとする課題】
【０００４】
しかしながら、このような従来の保護ケースでは、電子機器の表示部や各種の操作スイッチを開口部によって露出させているため、電子機器に保護ケースを装着しても、電子機器の表示部や各種の操作スイッチが常に露出することになり、このため携帯時に誤って操作スイッチを操作したり、表示部を傷付けたりするという問題がある。
【０００５】
この発明が解決しようとする課題は、機能を増設して電子機器を覆って保護しても、開くことにより使用することができる保護ケースを提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図９に示すように、表示部（液晶表示部４）を有する第１ケース（１）とキーボード（５）を有する第２ケース（２）とをヒンジ部（３）によって回動可能に連結した電子機器（電子辞書Ｇ）を保護する保護ケース（１０、３５）において、前記第１ケースを保護する第１保護部材（１１）と前記第２ケースを保護する第２保護部材（１２）とを保護ヒンジ部（１３）によって開閉可能に連結し、前記第１、第２保護部材の少なくとも一方に、機能を付加する付加機能部材（表示照明部材２２、キー照明部材２３、スピーカ３６、イヤホーン３７、電池３８）を設けると共に、この付加機能部材と前記第１、第２ケースの一方とを電気的に接続する接続部（接続端子部３９）を設けたことを特徴とする保護ケースである。
【０００８】
請求項２に記載の発明は、図１〜図９に示すように、前記第１保護部材（１１）が、第１ハードケース（１４）と、この第１ハードケース内に着脱可能に装着された第１ソフトケース（１５）とを有し、前記第２保護部材（１２）が、第２ハードケース（１６）と、この第２ハードケース内に着脱可能に装着された第２ソフトケース（１７）とを有することを特徴とする請求項１に記載の保護ケースである。
【０００９】
請求項３に記載の発明は、図１〜図９に示すように、前記第２保護部材（１２）に、前記第１保護部材（１１）と前記第２保護部材（１２）とを閉じたときに、前記第１保護部材（１１）に係脱可能に係合するフック部（２１）が回動可能に設けられていることを特徴する請求項１または２に記載の保護ケースである。
【００１０】
請求項４に記載の発明は、図１〜図６に示すように、前記付加機能部材が、前記第１保護部材（１１）に設けられて前記第１ケース（１）の前記表示部（液晶表示部４）を照明する表示照明部材（２２）であることを特徴する請求項１〜３のいずれかに記載の保護ケースである。
【００１１】
請求項５に記載の発明は、図１〜図６に示すように、前記付加機能部材が、前記第２保護部材（１２）に回動可能に設けられた前記フック部（２１）に設けられて前記第２ケース（２）の前記キーボード（５）を照明するキー照明部材（２３）であることを特徴する請求項１〜４のいずれかに記載の保護ケースである。
【００１２】
請求項６に記載の発明は、図７〜図９に示すように、前記付加機能部材が、スピーカ（３６）、イヤホーン（３７）、電池（３８）などの電子部品であることをことを特徴する請求項１〜５のいずれかに記載の保護ケースである。
【発明の効果】
【００１３】
請求項１に記載の発明によれば、第１ケースを保護する第１保護部材と第２ケースを保護する第２保護部材とを保護ヒンジ部によって開閉可能に連結したので、第１、第２ケースをヒンジ部によって開閉可能に連結した電子機器を覆って保護することができると共に、この状態で電子機器を開くと、これに伴って第１保護部材と第２保護部材とが保護ヒンジ部を中心に回動して開くことにより、第１、第２ケースを第１、第２保護部材で保護した状態でも、電子機器を使用することができる。
【００１４】
また、第１、第２保護部材の少なくとも一方に、機能を付加する付加機能部材を設けると共に、この付加機能部材と第１、第２ケースの一方とを電気的に接続する接続部を設けたので、電子機器自体が有する機能のほかに、付加機能部材によって別の機能をも付加することができると共に、接続部によって付加機能部材と電子機器とを電気的に接続することにより、電子機器の動作に応じて付加機能部材を連動させることができ、これにより使い勝手の良いものを得ることができる。
【００１５】
請求項２に記載の発明によれば、第１保護部材が第１ハードケースとこの第１ハードケース内に着脱可能に装着された第１ソフトケースとを有するので、第１ケースを第１ハードケースで強固に保護することができると共に、この第１ケースと第１ハードケースとの間に配置された第１ソフトケースによって、第１ハードトケースが衝撃を受けても、その衝撃を緩衝することができ、これにより第１ハードトケースの衝撃を第１ケースが受けないように軽減することができるので、第１ケースを確実に且つ良好に保護することができる。
【００１６】
同様に、第２保護部材も、第２ハードケースとこの第２ハードケース内に着脱可能に装着された第２ソフトケースとを有するので、第２ケースを第２ハードケースで強固に保護することができると共に、この第２ケースと第２ハードケースとの間に配置された第２ソフトケースによって、第２ハードケースが衝撃を受けても、その衝撃を緩衝することができ、これにより第２ハードトケースの衝撃を第２ケースが受けないように軽減することができるので、第２ケースを確実に且つ良好に保護することができる。
【００１７】
この場合、第１ハードケースと第１ソフトケースとが着脱可能に装着され、第２ハードケースと第２ソフトケースとが着脱可能に装着されていることにより、第１、第２ソフトケースを第１、第２ハードケースから取り外して電子機器の第１、第２ケースに装着することができる。このため、電子機器の第１、第２ケースを第１、第２ソフトケースのみで保護することができ、これにより柔らかな感触で良好に電子機器を保護して携帯することができる。
【００１８】
請求項３に記載の発明によれば、第２保護部材に、第１保護部材と第２保護部材とを閉じたときに、第１保護部材に係脱可能に係止されるフック部を回動可能に設けたことにより、電子機器を使用しないときに、第１保護部材と第２保護部材とを閉じて、第２保護部材のフック部を第１保護部材に係止させることにより、第１、第２保護部材が勝手に開かないようにロックすることができ、これにより第１、第２保護部材で電子機器を確実に保護した状態で安全に携帯することができる。
【００１９】
請求項４に記載の発明によれば、付加機能部材が、第１保護部材に設けられて第１ケースの表示部を照明する表示照明部材であることにより、電子機器の第１、第２ケースと共に第１、第２保護部材を開いて電子機器を使用する場合、第１ケースに装着された第１保護部材に設けられた付加機能部材である表示照明部材によって、第１ケースの表示部を照明することができ、これにより表示部がバックライト装置を備えていなくても、暗い所で表示部に表示された情報を良好に見ることができる。
【００２０】
請求項５に記載の発明によれば、付加機能部材が、第２保護部材に回動可能に設けられたフック部に設けられて第２ケースのキーボードを照明するキー照明部材であることにより、このキー照明部材によって第２ケースのキーボードを照明することができ、これにより暗い所でもキーボードを確認して良好にキー操作することができる。
【００２１】
このときには、フック部による第１保護部材に対する係止を解除して、電子機器の第１、第２ケースと共に第１、第２保護部材を開き、第２ケースに装着された第２保護部材に回動可能に取り付けられたフック部のキー照明部材を第２ケースのキーボードに向けることにより、キー照明部材によってキーボードを照明することができる。この場合、フック部の回動角度を調節することにより、キーボードに対するキー照明部材の光照射方向を調節することができるので、より一層、キーボードを良好に照明することができる。
【００２２】
請求項６に記載の発明によれば、付加機能部材が、スピーカ、イヤホーン、電池などの電子部品であることにより、電子機器自体が有する機能のほかに、スピーカ、イヤホーン、電池などの電子部品による機能を増設することができる。例えば、電子機器の第２ケースにスピーカが設けられている場合にも、第１ケースを保護する第１保護部材に別のスピーカを設けることにより、第２ケースに設けられたスピーカの放音方向が使用者側に向いていても、第１保護部材に設けられたスピーカの放音方向を使用者側と反対方向に向けることができ、これにより広範囲に音を放音することができるので、音響効果を高めることができる。
【００２３】
また、第１、第２保護部材の一方にイヤホーンを設けることにより、電子機器にイヤホーンが設けられていなくても、イヤホーンを容易に増設することができると共に、このイヤホーンによって良好に音声などの音を聞くことができる。また、電子機器に組み込まれた電源が充電可能な２次電池である場合、電子機器を使用しないときに、第１、第２保護部材の一方に設けられた電池によって電子機器の２次電池を充電することができ、これにより使い勝手の良いものを得ることができる。
【発明を実施するための最良の形態】
【００２４】
（実施形態１）
以下、図１〜図６を参照して、この発明の保護ケースを電子辞書に適用した実施形態１について説明する。
図１はこの発明の保護ケースと電子辞書とを共に開いて使用する状態を示した正面図、図２はその保護ケースと電子辞書とを閉じた状態において保護ケースのみを破断した側面図、図３は図１の電子辞書を保護する保護ケースのみを開いた状態の正面図である。
この電子辞書Ｇは、図１および図２に示すように、第１ケース１と第２ケース２とを備え、この第１ケース１と第２ケース２とをヒンジ部３によって回動可能に連結することにより、このヒンジ部３を中心に第１、第２ケースが相対的に回動して開閉する折り畳み式の構造になっている。
【００２５】
この場合、第１ケース１は、図１に示すように、ほぼ長方形の平板状に形成されており、その内部には、液晶表示部４が第２ケース２に対向する対向面側に露出した設けられている。液晶表示部４は、辞書関連の情報や時刻情報などの各種の情報を電気光学的に表示するように構成されている。第２ケース２は、図１に示すように、第１ケース１とほぼ同じ形状で同じ大きさに形成されており、その内部には、キーボード５が第１ケース１に対向する対向面側に露出して設けられている。このキーボード５は、文字キー、カーソルキー、機能キーなどの電子辞書Ｇに必要な各種のキーを備えている。また、このキーボード５の手前側（図１では下辺側）における両側には、スピーカ部６が第１ケース１に対向する対向面側に向けてそれぞれ設けられている。
【００２６】
ヒンジ部３は、図１に示すように、第１ケース１の一方の長辺部（図１では下側に位置する長辺部）における両側に設けられた円筒形状の一対の第１ヒンジ筒部７と、これに対向する第２ケース２の長辺部（図１では上側に位置する長辺部）における中間部分に設けられた第２ヒンジ筒部８とを備え、第１ケース１の両側に位置する一対の第１ヒンジ筒部７の間に第２ケース２の第２ヒンジ筒部８を配置させた状態で、第１ヒンジ筒部７と第２ヒンジ筒部８とを回動可能に連結した構成になっている。この場合、第１ケース１内の電子回路と第２ケース２内の電子回路とは、ヒンジ部３内を通してフレキシブルな配線基板などの接続部材（図示せず）によって電気的に接続されている。
【００２７】
ところで、この電子辞書Ｇには、図１および図２に示すように、保護ケース１０が着脱可能に装着されている。この保護ケース１０は、第１ケース１を保護する第１保護部材１１と第２ケース２を保護する第２保護部材１２とを保護ヒンジ部１３によって開閉可能に連結した構成になっている。第１保護部材１１は、硬質の合成樹脂や金属などからなる第１ハードケース１４と、この第１ハードケース１４内に着脱可能に装着された軟質の合成樹脂からなる第１ソフトケース１５とを有する２重構造になっている。これと同様に、第２保護部材１２も、硬質の合成樹脂や金属などからなる第２ハードケース１６と、この第２ハードケース１６内に着脱可能に装着された軟質の合成樹脂からなる第２ソフトケース１７とを有する２重構造になっている。
【００２８】
保護ヒンジ部１３は、図２および図３に示すように、第１ハードケース１４の一端部（図３では下側の端部）に設けられた一対の筒状突起部１８と、第２ハードケース１６の一端部（図３では上側の端部）に設けられた３つの筒状突起部１９とを有し、第２ハードケース１６の３つの筒状突起部１９の間に第１ハードケース１４の一対の筒状突起部１８をそれぞれ嵌合させ、この状態で第１ハードケース１４の各筒状突起部１８と第２ハードケース１６の各筒状突起部１９とを連結軸２０によって回動可能に連結した構成になっている。
【００２９】
これにより、保護ケース１０は、第１ケース１に第１保護部材１１が装着し、第２ケース２に第２保護部材１２が装着した状態で、第１、第２ケース１、２の開閉動作に伴って、第１、第２保護部材１１、１２が保護ヒンジ部１３を中心に回動して開閉するように構成されている。この場合、保護ケース１０は、その保護ヒンジ部１３の中心部が、第１、第２ケース１、２のヒンジ部３の中心部に対して位置がずれているため、第１保護部材１１に第１ケース１を装着し、第２保護部材１２に第２ケース２を装着して、第１、第２ケース１、２を開くときには、第１、第２ケース１、２の一方が第１、第２保護部材１１、１２に対しスライドしてずれることになる。
【００３０】
このため、この保護ケース１０は、第１ケース１が第１保護部材１１に装着されて固定された状態のときに、第１、第２ケース１、２を開いて第１、第２保護部材１１、１２を開くと、図１に示すように、第２ケース２が第２保護部材１２内をスライドして第１ケース１側に引き寄せられ、また第１、第２ケース１、２を重ね合わせて閉じるときに、図２に示すように、第２ケース２が第２保護部材１２内をスライドして第１、第２保護部材１１、１２が第１、第２ケース１、２と共に互いに重なり合って閉じるように構成されている。
【００３１】
また、第１、第２保護部材１１、１２の第１、第２ソフトケース１５、１７は、図６に示すように、電子辞書Ｇの第１、第２ケース１、２にそれぞれ密着して装着すると共に、第１、第２ハードケース１４、１６に対して着脱可能に装着されるように構成されている。すなわち、第１、第２ソフトケース１５、１７は、第１、第２ハードケース１４、１６から取り外されて、電子辞書Ｇの第１、第２ケース１、２に装着するときに、電子辞書Ｇのヒンジ部３側に位置する第１、第２ソフトケース１５、１７の各内端部にそれぞれ設けられた係止部１５ａ、１７ａが第１、第２ケース１、２に係脱可能に係止され、これにより第１、第２ケース１、２に密着した状態で取り付けられるように構成されている。
【００３２】
さらに、第２保護部材１２における保護ヒンジ部１３と反対側に位置する端部（図１では下側の端部）には、図１〜図４に示すように、フック部２１が第２ハードケース１６に回動可能に取り付けられている。このフック部２１は、図２に示すように、第１、第２保護部材１１、１２を閉じたときに、第１保護部材１１の第１ハードケース１４の端部を係脱可能に挟み込んで係止されることにより、第１、第２保護部材１１、１２を閉じた状態で相互にロックするように構成されている。
【００３３】
一方、この保護ケース１０には、図１に示すように、付加機能部材として表示照明部材２２とキー照明部材２３とが設けられている。表示照明部材２２は、第１ケース１内の液晶表示部４を照明するためのものであり、図１に示すように、第１保護部材１１の内部両側に設けられている。すなわち、この表示照明部材２２は、図１および図５に示すように、第１保護部材１１の第１ハードケース１４の両側内面に配置された照明基板２４に複数の発光素子２５を設けた構成になっている。
【００３４】
複数の発光素子２５は、赤、青、緑、白などのいずれかの色の光を発光する発光ダイオード（ＬＥＤ）からなり、図１に示すように、第１ケース１の両側部に沿って配列されていると共に、図５に示すように、第１ケース１内の液晶表示部４の両側面に対向して配置されている。この場合、第１ケース１の両側面は、図５に示すように、発光素子２５の光を第１ケース１内に取り込むために、光透過性を有する合成樹脂で形成されている。
【００３５】
また、液晶表示部４は、図５に示すように、上下一対の透明な電極基板２７、２８間に液晶（図示せず）を封入した液晶表示素子２６を有し、この液晶表示素子２６の下面に導光板２９を配置した構成になっている。この導光板２９は、その側面から光が入射すると、その光を面方向に導きながら上方に順次出射して液晶表示素子２６の下面全体に光を照射する導光機能を有するほかに、外部光が液晶表示素子２６を透過して上面側から入射すると、その光を液晶表示素子２６の下面全体に反射する反射機能をも兼ね備えた構成になっている。また、この液晶表示部４の下側、つまり導光板２６の下側には、液晶表示素子２６を駆動するための表示用の回路基板３０が配置されている。
【００３６】
これにより、表示照明部材２２は、各発光素子２５が照明基板２４にそれぞれ搭載された状態で、第１保護部材１１が第１ケース１に装着されると、図５に示すように、各発光素子２５が第１ケース１の側面部に対向すると共に、第１ケース１内に配置された液晶表示部４の導光板２９の側面にも対向して配置され、これにより各発光素子２５で発光した光が第１ケース１の側面部を透過して導光板１７の側面に照射され、この照射された光が導光板１７内に入射するように構成されている。また、この照明基板２４は、第１保護部材１１が第１ケース１に装着されると、接続部材（図示せず）によって第１ケース１内の表示用の回路基板３０と電気的に接続されるように構成されている。
【００３７】
また、キー照明部材２３は、図４に示すように、第２ケース２のキーボード５を照明するためのものであり、第２保護部材１２に設けられたフック部２１の先端部に発光素子（図示せず）を設けた構成になっている。この発光素子も、表示照明部材２２の発光素子２５と同様、赤、青、緑、白などのいずれかの色の光を発光する発光ダイオード（ＬＥＤ）からなり、フック部２１の先端に埋め込まれている。また、このキー照明部材２３の発光素子は、その接続線（図示せず）が第２保護部材１２から保護ヒンジ部１３を経て第１保護部材１１に導かれ、この第１保護部材１１の表示照明部材２２の照明基板２４に接続され、第１保護部材１１に設けられた表示照明部材２２の各発光素子２５と同時に点灯するように構成されている。
【００３８】
このような電子辞書Ｇの保護ケース１０によれば、電子辞書Ｇの第１ケース１を保護する第１保護部材１１と電子辞書Ｇの第２ケース２を保護する第２保護部材１２とを保護ヒンジ部１３によって開閉可能に連結したので、第１、第２ケース１、２をヒンジ部３によって開閉可能に連結した電子辞書Ｇを覆って保護することができると共に、この状態で電子辞書Ｇの第１、第２ケース１、２を開くと、これに伴って第１保護部材１１と第２保護部材１２とが保護ヒンジ部１３を中心に回動して開くので、第１、第２ケース１、２を第１、第２保護部材１１、１２で保護した状態でも、電子辞書Ｇを良好に使用することができ、これにより使い勝手の良いものを得ることができる。
【００３９】
この場合、第１保護部材１１は第１ハードケース１４とこの第１ハードケース１４内に着脱可能に装着された第１ソフトケース１５とを有する２重構造であるから、電子辞書Ｇの第１ケース１を第１ハードケース１４で強固に保護することができると共に、この第１ケース１と第１ハードケース１４との間に配置された第１ソフトケース１５によって、第１ハードトケース１４が衝撃を受けても、その衝撃を緩衝することができ、これにより第１ハードトケース１４の衝撃を第１ケース１が受けないように軽減することができるので、第１ケース１を確実に且つ良好に保護することができる。
【００４０】
同様に、第２保護部材１２も、第２ハードケース１６とこの第２ハードケース１６内に着脱可能に装着された第２ソフトケース１７とを有する２重構造であるから、第２ケース２を第２ハードケース１６で強固に保護することができると共に、この第２ケース２と第２ハードケース１６との間に配置された第２ソフトケース１７によって、第２ハードケース１６が衝撃を受けても、その衝撃を緩衝することができ、これにより第２ハードトケース１６の衝撃を第２ケース２が受けないように軽減することができるので、第２ケース２を確実に且つ良好に保護することができる。
【００４１】
この場合、第２保護部材１２の第２ハードケース１６の先端部には、図１〜図４に示すように、第１保護部材１１と第２保護部材１２とを閉じたときに、第１保護部材１１の先端部に位置する第１ハードケース１４を係脱可能に挟み込んで係止するフック部２１が回動可能に設けられていることにより、電子辞書Ｇを使用しないときに、第１保護部材１１と第２保護部材１２とを閉じて、第２保護部材１２のフック部２１を第１保護部材１１の第１ハードケース１４に係止させることにより、第１、第２保護部材１１、１２が勝手に開かないようにロックすることができ、これにより第１、第２保護部材１１、１２で電子辞書Ｇを保護した状態で安全に携帯することができる。
【００４２】
特に、第１ハードケース１４と第１ソフトケース１５とが着脱可能に装着されていると共に、第２ハードケース１６と第２ソフトケース１７とも着脱可能に装着されていることにより、図６に示すように、第１、第２ソフトケース１５、１７を第１、第２ハードケース１４、１６から取り外して、第１、第２ソフトケース１５、１７のみを電子辞書Ｇの第１、第２ケース１、２に装着することができる。この場合には、電子辞書Ｇを第１、第２ソフトケース１５、１７のみによって保護することができ、これにより柔らかな感触で良好に電子辞書Ｇを保護して携帯することができる。
【００４３】
また、この保護ケース１０によれば、第１、第２保護部材１１、１２に機能を付加する付加機能部材を設けて、電子辞書Ｇ自体が有する機能のほかに、付加機能部材によって別の機能をも付加することができる。この場合、付加機能部材として、電子辞書Ｇの第１ケース１の液晶表示部４を照明する表示照明部材２２を第１保護部材１１内の両側に設け、この表示照明部材２２を接続部材（図示せず）によって電子辞書Ｇと電気的に接続することにより、第１保護部材１１の表示照明部材２２によって第１ケース１内の液晶表示部４を照明することができる。
【００４４】
すなわち、電子辞書Ｇの第１、第２ケース１、２と共に第１、第２保護部材１１、１２を開いて電子辞書Ｇを使用するときに、図５に示すように、第１ケース１に装着された第１保護部材１１に設けられた表示照明部材２２によって第１ケース１内の液晶表示部４を両側から照明することができるので、液晶表示部４がバックライト装置を備えていなくても、液晶表示部４を明るく照明することができ、これにより暗い所でも液晶表示部４に表示された情報を良好に見ることができる。
【００４５】
また、付加機能部材として、電子辞書Ｇの第２ケース２のキーボード５を照明するキー照明部材２３を第２保護部材１２に回動可能に設けられたフック部２１の先端部に設け、このキー照明部材２３を接続線（図示せず）によって第１保護部材１１内に表示照明部材２２と電気的に接続することにより、キー照明部材２３によって第２ケース２のキーボード５を照明することができ、これにより暗い所でもキーボード５を確認して良好にキー操作することができる。
【００４６】
このときには、フック部２１による第１保護部材１１に対する係止を解除して、電子辞書Ｇの第１、第２ケース１、２と共に第１、第２保護部材１１、１２を開き、図４に示すように、第２ケース２に装着された第２保護部材１２に回動可能に取り付けられたフック部２１の先端をキーボード５側に向けると、キー照明部材２３がキーボード５の上面側に向くので、このキー照明部材２３によって第２ケース２のキーボード５を照明することができる。
【００４７】
この場合、フック部２１の回動角度を調節することにより、キーボード５に対するキー照明部材２３の光照射方向を調節することができるので、キー照明部材２３によってキーボード５を確実に且つ良好に照明することができる。また、このときには、表示照明部材２２が液晶表示部４を照明するのと同時に、キー照明部材２３がキーボード５を照明するので、電子辞書Ｇ全体を明るく照明することができる。
【００４８】
なお、上記実施形態１では、表示照明部材２２が、赤、青、緑、白などのいずれかの色の光を発光する１種類の発光素子２５を用いた場合について述べたが、これに限らず、例えば発光色の異なる複数種類の発光素子を複数組み設けた構成でも良い。このようにすれば、表示照明部材２２による発光色を使用者が自由に選択して、使用者の好みに応じた色の光で液晶表示部４を良好に照明することができ、これにより装飾性の高いものを得ることができる。
【００４９】
（実施形態２）
次に、図７〜図９を参照して、この発明の保護ケースを電子辞書Ｇに適用した実施形態２について説明する。なお、図１〜図６に示された実施形態１と同一部分には同一符号を付して説明する。
この保護ケース３５は、付加機能部材として、スピーカ３６、イヤホーン３７、電池３８などの各種の電子部品を備えた構成で、これ以外は実施形態１とほぼ同じ構成になっている。この場合、保護ケース３５は、実施形態１と同様、電子辞書Ｇの第１ケース１を保護する第１保護部材１１と電子辞書Ｇの第２ケース２を保護する第２保護部材１２とを保護ヒンジ部１３によって開閉可能に連結した構成になっている。
【００５０】
第１保護部材１１は、実施形態１と同様、第１ハードケース１４と第１ソフトケース１５とを有する２重構造になっており、第２保護部材１２も、第２ハードケース１６と第２ソフトケース１７とを有する２重構造になっている。そして、第１保護部材１１内には、図７に示すように、保護ヒンジ部１３と反対側に位置する先端部側にスピーカ３６が設けられている。このスピーカ３６は、図８に示すように、第１保護部材１１の第１ハードケース１４の外表面側に向けて音を放音するように配置されている。
【００５１】
また、第２保護部材１２内には、図９に示すように、イヤホーン３７が収納されている。このイヤホーン３７は、第２保護部材１２内の右側に位置する個所で、電子辞書Ｇの第２ケース２と第２ハードケース１６との間に巻取機構（図示せず）によって巻き取り可能に収納され、使用するときに第２保護部材１２の先端側（図９では下側の端部）から引き出されるように構成されている。このイヤホーン３７は、第２ソフトケース１７の内面側からイヤホーンジャック３７ａが出没可能に突出し、このイヤホーンジャック３７ａが電子辞書Ｇの第２ケース２の側面に設けられたジャック接続部２ａに挿入されて第２ケース２内の電子回路と電気的に接続されるように構成されている。
【００５２】
また、第２保護部材１２内には、図９に示すように、電池３８が収納されている。この電池３８は、第２保護部材１２内の左側に位置する個所で、電子辞書Ｇの第２ケース２と第２ハードケース１６との間に配置され、第２ケース２に電源を供給して第２ケース２内の充電可能な２次電池（図示せず）を充電するように構成されている。さらに、この第２保護部材１２内には、接続端子部３９が設けられている。この接続端子部３９には、第１保護部材１内に設けられたスピーカ３６と、第２保護部材１２内に設けられた電池３８とがそれぞれ電気的に接続され、この状態で第２保護部材１２内に第２ケース２が装着されたときに、この第２ケース２の接続端子部（図示せず）と電気的に接続され、これによりスピーカ３６および電池３８を第２ケース２内の電子回路と電気的に接続するように構成されている。
【００５３】
この場合、保護ケース３５は、第２ケース２が第２保護部材１２に装着されて固定され、この状態で第１、第２ケース１、２を開いて第１、第２保護部材１１、１２を開くと、図７に示すように、第１ケース１が第１保護部材１１内をスライドして第２ケース２側に引き寄せられ、これにより図８に示すように、第１ケース１が第１保護部材１１から離脱し、第１ケース１と第１保護部材１１とがそれぞれ傾斜して起立した状態で開くように構成されている。また、この保護ケース３５は、第１、第２ケース１、２を閉じるときに、図２に示したように、第１ケース１が第１保護部材１１内をスライドして第１、第２保護部材１１、１２が第１、第２ケース１、２と共に互いに重なり合って閉じるように構成されている。
【００５４】
このような電子辞書Ｇの保護ケース３５によれば、実施形態１と同様、第１、第２ケース１、２をヒンジ部３によって開閉可能に連結した電子辞書Ｇを覆って保護することができると共に、この状態で電子辞書Ｇの第１、第２ケース１、２を開くと、これに伴って第１保護部材１１と第２保護部材１２とが保護ヒンジ部１３を中心に回動して開くので、第１、第２ケース１、２を第１、第２保護部材１１、１２で保護した状態でも、電子辞書Ｇを良好に使用することができるほか、付加機能部材として、スピーカ３６、イヤホーン３７、電池３８などの電子部品を搭載したことにより、電子辞書Ｇ自体が備えている機能のほかに、スピーカ３６、イヤホーン３７、電池３８などの電子部品による機能を付加することができる。
【００５５】
すなわち、電子辞書Ｇの第２ケース２にスピーカ部６が設けられていても、第１ケース１を保護する第１保護部材１１に別のスピーカ３６を設けることにより、この第１保護部材１１のスピーカ３６によって第２ケース２のスピーカ部６と異なる方向に音を放音させることができる。例えば、第２ケース２のスピーカ部６が使用者に向けて音を放音し、第１保護部材１１のスピーカ３６が使用者と反対側に向けて音を放音することにより、広い範囲に音を放音することができ、これにより音響効果を高めることができる。
【００５６】
また、第２保護部材１２にイヤホーン３７が収納されていることにより、電子辞書Ｇにイヤホーン３７が設けられていなくても、イヤホーンを容易に増設することができると共に、このイヤホーン３７によって良好に音声などの音を聞くことができる。さらに、電子辞書Ｇに組み込まれた電源が充電可能な２次電池である場合、第２保護部材１２に設けられた電池３８によって電子辞書Ｇを使用しないときに、電子辞書Ｇの２次電池を充電することができ、これにより使い勝手の良いものを得ることができる。
【００５７】
なお、上記実施形態１または２では、第１保護部材１１に表示照明部材２２とスピーカ３６とのいずれかを設け、第２保護部材１２にキー照明部材２３、イヤホーン３７および電池３７の電子部品の少なくともいずれかを設けた場合について述べたが、これに限らず、第１保護部材１１に表示照明部材２２とスピーカ３６との両方を設け、第２保護部材１２にキー照明部材２３、イヤホーン３７および電池３７の電子部品の全てを設けた構成でも良い。このようにすれば、より一層、多くの付加機能を増設することができる。
【００５８】
また、上記実施形態１または２では、電子機器として、電子辞書Ｇに適用した場合について述べたが、これに限らず、携帯電話機、電子式計算機、携帯型パーソナルコンピュータ、ＰＤＡ（パーソナル・デジタル・アシスタント）などの折り畳み式の電子機器に広く適用することができる。
【図面の簡単な説明】
【００５９】
【図１】この発明の保護ケースと電子辞書とを共に開いて使用する状態を示した正面図である。（実施形態１）
【図２】図１の保護ケースと電子辞書とを閉じた状態において保護ケースのみを破断して示した側面図である。
【図３】図１の保護ケースのみを示した正面図である。
【図４】図１のＡ−Ａ矢視における要部の拡大断面図である。
【図５】図１のＢ−Ｂ矢視における要部の拡大断面図である。
【図６】図３の第１、第２ハードケースから第１、第２ソフトケースを取り外して電子辞書の第１、第２ケースに装着して使用する状態において、第１、第２ソフトケースのみを破断して示した側面図である。
【図７】この発明の保護ケースと電子辞書とを共に開いて使用する状態を示した正面図である。（実施形態２）
【図８】図７において第１、第２保護部材のみを破断して示した側面図である。
【図９】図７の保護ケースのみを示した正面図である。
【符号の説明】
【００６０】
１  第１ケース
２  第２ケース
３  ヒンジ部
４  液晶表示部
５  キーボード
６  スピーカ部
１０、３５  保護ケース
１１  第１保護部材
１２  第２保護部材
１３  保護ヒンジ部
１４  第１ハードケース
１５  第１ソフトケース
１６  第２ハードケース
１７  第２ソフトケース
２１  フック部
２２  表示照明部材
２３  キー照明部材
３６  スピーカ
３７  イヤホーン
３８  電池
３９  接続端子部
Ｇ  電子辞書
【図１】
2006106874.tif 000003
【図２】
2006106874.tif 000004
【図３】
2006106874.tif 000005
【図４】
2006106874.tif 000006
【図５】
2006106874.tif 000007
【図６】
2006106874.tif 000008
【図７】
2006106874.tif 000009
【図８】
2006106874.tif 000010
【図９】
2006106874.tif 000011